Podtech/llm-jp-corpus-v4-ja_patent huggingface dataset:
(57)【要約】【課題】  弁座部材の排出通路に異物が堆積してもドレンを排出できるフリーフロート式ドレントラップを提供する。【解決手段】  本体１と蓋２で弁ケーシングを形成する。弁ケーシングに入口５と弁室４と出口７を形成する。弁室４を出口７側に連通する排出通路８と通孔１４を有する弁座部材９の弁室４側端を弁室４内に突出させて蓋２に進退可能に取り付ける。弁室４内に弁座部材９の弁室４側端に直接に離着座して排出通路８を開閉する球形フロート１２を自由状態で配置する。弁座部材９を後退させた図示の通常位置では弁座部材９で閉じられ弁座部材９を前進させたときに弁座部材９の通孔に連通して弁室４を出口７側に連通するオリフィス通路１１を蓋２に形成する。【選択図】      図１
2008202620.tif 000002
【特許請求の範囲】
【請求項１】
弁ケーシングで入口と弁室と出口を形成し、弁室を出口側に連通する排出通路と通孔を有する弁座部材の弁室側端を弁室内に突出させて弁ケーシングに進退可能に取り付け、弁室内に弁座部材の弁室側端に直接に離着座して排出通路を開閉する球形フロートを自由状態で配置し、弁座部材を後退させた通常位置では弁座部材で閉じられ弁座部材を前進させたときに弁座部材の通孔に連通して弁室を出口側に連通するオリフィス通路を設けたことを特徴とするフリーフロート式ドレントラップ。
【発明の詳細な説明】
【技術分野】
【０００１】
本発明は、蒸気や圧縮空気やガス配管系に発生するドレンを自動的に排出するフリーフロート式ドレントラップに関し、特にフロートが離着座する弁座部材の排出通路に異物が堆積してもドレンを排出できるものに関する。
【背景技術】
【０００２】
従来のフリーフロート式ドレントラップは、弁ケーシングで入口と弁室と出口を形成し、弁室を出口側に連通する排出通路を有する弁座部材の弁室側端を弁室内に突出させて形成し、弁室内に弁座部材の弁室側端に直接に離着座して排出通路を開閉する球形フロートを自由状態で配置したものである。
【０００３】
上記従来のフリーフロート式ドレントラップは、弁座部材の排出通路に流体中のゴミやスケール等の異物が堆積するとドレンを排出できなくなり、配管系で使用する設備の生産性を低下させたりウォータハンマを発生させたりする問題点があった。
【特許文献１】実公昭６３−１２３１８号公報
【発明の開示】
【発明が解決しようとする課題】
【０００４】
解決しようとする課題は、弁座部材の排出通路に異物が堆積してもドレンを排出できるフリーフロート式ドレントラップを提供することである。
【課題を解決するための手段】
【０００５】
本発明は、弁ケーシングで入口と弁室と出口を形成し、弁室を出口側に連通する排出通路と通孔を有する弁座部材の弁室側端を弁室内に突出させて弁ケーシングに進退可能に取り付け、弁室内に弁座部材の弁室側端に直接に離着座して排出通路を開閉する球形フロートを自由状態で配置し、弁座部材を後退させた通常位置では弁座部材で閉じられ弁座部材を前進させたときに弁座部材の通孔に連通して弁室を出口側に連通するオリフィス通路を設けたことを特徴とする。
【発明の効果】
【０００６】
本発明のフリーフロート式ドレントラップでは、弁座部材の排出通路に異物が堆積しても、弁座部材を前進させてオリフィス通路を弁座部材の通孔に連通させることにより、オリフィス通路を通して弁室を出口側に連通してドレンを排出できるので、配管系で使用する設備の生産性を低下させることがなく、ウォータハンマを発生させることがないという優れた効果を生じる。
【発明を実施するための最良の形態】
【０００７】
本発明のフリーフロート式ドレントラップは、弁室を出口側に連通する排出通路と通孔を有する弁座部材を弁ケーシングに進退可能に取り付け、弁座部材を後退させた通常位置では弁座部材で閉じられ弁座部材を前進させたときに弁座部材の通孔に連通して弁室を出口側に連通するオリフィス通路を設けたものである。そのため、弁座部材の排出通路に異物が堆積しても、弁座部材を前進させてオリフィス通路を弁座部材の通孔に連通させることにより、オリフィス通路を通して弁室を出口側に連通してドレンを排出できる。
【実施例１】
【０００８】
上記の技術的手段の具体例を示す実施例を説明する（図１参照）。本体１に蓋２をボルト３で締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８と複数の通孔１４を有する弁座部材９を進退可能にねじ結合する。蓋２は出口通路１０を有し、弁室４の下部は排出通路８から通孔１４、出口通路１０，６を介して出口７に連通する。弁座部材９の弁室４側端は弁室４内に突出させる。弁座部材９を後退させた図示の通常位置では弁座部材９で閉じられ弁座部材９を前進させたときに弁座部材９の通孔１４に連通して弁室４を出口７側に連通するオリフィス通路１１を蓋２に形成する。
【０００９】
弁室４内に弁座部材９の弁室４側端に直接に離着座して排出通路８を開閉する球形フロート１２を自由状態で配置する。排出通路８と同軸でフロート１２よりも微少大きい半径の部分円筒面状のフロート座１３を軸方向に互いに平行に二条に形成する。フロート１２はフロート座１３に案内されて弁座部材９に着座する。
【００１０】
入口５から流入したドレンは弁室４内に溜り、液面の上昇に伴ってフロート１２が浮上し、弁座部材９から離座して排出通路８を開ける。排出通路８が開けられると弁室４内のドレンが排出通路８、通孔１４、出口通路６，１０を通して出口７に排出される。ドレンの排出による液面の低下に伴ってフロート１２が降下して行き、フロート座１３に案内されて弁座部材９に着座してドレンの排出が停止される。弁座部材９の排出通路８先端の小径部に異物が堆積しても、弁座部材９を前進させてオリフィス通路１１を弁座部材９の通孔１４に連通させることにより、オリフィス通路１１を通して弁室４を出口７側に連通してドレンを排出できる。
【図面の簡単な説明】
【００１１】
【図１】本発明のフリーフロート式ドレントラップの断面図である。
【符号の説明】
【００１２】
１  本体
２  蓋
４  弁室
５  入口
７  出口
８  排出通路
９  弁座部材
１１  オリフィス通路
１２  フロート
１３  フロート座
１４  通孔
【図１】
2008202620.tif 000003
(57)【要約】【課題】アウトドアで簡単に調理できる調理器具を提供することを課題とする。【解決手段】本体にドラム缶を使用することにより、製作材料費用を低くおさえた。また、ドラム缶内は、密閉状態で安定した火力で燃焼時間を長く保て、さらに余分な熱を漏らさない。また、燃焼中に吸気・排気弁閉じ吸気口めくらキャップの取り付けで、簡単に消火できるようになった。さらに、３箇所の網棚を設置することにより、下段は普通焼き調理、中段は薫製調理、上段は乾燥用と１つの調理器具で3通りの調理法ができる。【選択図】図１
2008202900.tif 000002
【特許請求の範囲】
【請求項１】
本体と蓋の合わし目が完全密閉で製作しやすいドラム缶を使用し、電気・ガスを使用せず、炭を使用する七輪を組み合わせたことを特徴とした調理器具。
【請求項２】
前記調理器具の燃焼時間を長く安定させ保つ為に七輪の天高さ、排気口高さ、煙突長さ、吸気量、排気量の関係を調整したことを特徴とする請求項１記載の調理器具。
【請求項３】
前記調理器具の燃焼中に吸気・排気弁閉じ吸気口めくらキャップの取り付けで消火出来ることを特徴とする請求項１記載の調理器具。
【請求項４】
前記調理器具の3箇所の網棚では、 下段は普通焼き調理、中段は薫製調理、上段は乾燥用と1つの調理器具で3通りの調理方法ができることを特徴とする請求項１記載の調理器具。
【発明の詳細な説明】
【技術分野】
【０００１】
この発明は、野外に設置して使用し、災害時やアウトドア用の調理器具に関する。
【背景技術】
【０００２】
私の炭焼きの経験上、煙突排気入口は焚き口より２０mm低い位置が一番良い条件であることに気付いた。これも釜の中の燃焼温度の安定、つまり対流現象がおきるからよい炭が焼ける。
これを基にガーデニング調理器具の釜も七輪の天高さと煙突排気部入口の高さの位置に
決定的な隠れた技術の場所であることから考えられた。
また、大きな震災に控え「備えあれば憂い無し」という思いと、アウトドアでの調理の楽しさを多くの人に味わってもらいたいという思いから、このガーデニング調理器具が考えられた。
【発明の開示】
【発明が解決しようとする課題】
【０００３】
屋外での調理は楽しいが、単調なものでは楽しくもないので、図１に示すように、網棚下段は普通焼き調理、中段は薫製調理、上段は乾燥ができるという３通りの調理法が楽しめる調理器具を考えた。
しかしながら、ドラム缶内で煎るための加熱度合は難しく、排気、吸気、加熱温度、加熱時間、釜の構造が重要である。
また、多少の風雨でも調理ができ、使用後はガーデニング調理器具として屋外に設置したままで片付けなくても周りにマッチするということも大切である。
そこで、この発明はこれまでのアウトドア調理器具にはない構造・形に仕上げ、アウトドアで簡単に調理でき、さらに使ってみて楽しい調理器具を提供することを課題とする。
【課題を解決するための手段】
【０００４】
以上の課題を解決するために、第一発明は、本体と蓋の合わし目が完全密閉で製作しやすいドラム缶を使用し、電気・ガスを使用せず、炭を使用する七輪を組み合わせたことを特徴としたガーデニング調理器具である。
第二発明は、燃焼時間を長く安定させ保つ為に七輪の天高さ、排気口高さ、煙突長さ、吸気量、排気量の関係を調整したことを特徴とするガーデニング調理器具である。
第三発明は、吸気・排気弁閉じ吸気口めくらキャップを取り付けたことを特徴とするガーデニング調理器具である。
第四発明は、3箇所の網棚を特徴とするガーデニング調理器具である。
【発明の効果】
【０００５】
第一発明、第二発明によれば、ドラムカンを使用することにより製作材料費用を低くおさえられる。また、ドラム缶内は、密閉状態で安定した火力で燃焼時間を長く保て、さらに余分な熱を漏らさない。
第三発明によれば、燃焼中に吸気・排気弁閉じ吸気口めくらキャップ取り付けで、簡単に消火できるようになった。
第四発明によれば、３箇所の網棚を設置することにより、下段は普通焼き調理、中段は薫製調理、上段は乾燥用と１つの調理器具で３通りの調理法ができる。
【発明を実施するための最良の形態】
【０００６】
この発明の一実施形態を、図１に示す。
ドラム・カンカンの本体はドラム缶であり、この本体１は４つの主要部分から構成されている。
（１）排気部２インチガス管４mバタフライ弁付き煙突支持パイプ３本
（２）吸気部２インチ管バタフライ弁付き・めくらキャップ
（３）釜本体部 吸気管の取り付け・七輪・３段網棚・ジャッキボルト足３本・蓋部合わし重なり部にぐるり隙間テープ施す
（４）釜蓋部 排気部接続にユニオンカップリングの取り付け・手持ち金具２か所・覗き穴２か所・本体合わし止め金具３か所
【実施例１】
【０００７】
この実施形態によれば、本体にドラム缶でを使用することにより、製作材料費用を低くおさえられる。また、ドラム缶内は、密閉状態で安定した火力で燃焼時間を長く保て、さらに余分な熱を漏らさない。また、燃焼中に吸気・排気弁閉じ吸気口めくらキャップ取り付けで、簡単に消火できるようになった。さらに、３箇所の網棚を設置することにより、下段は普通焼き調理、中段は薫製調理、上段は乾燥用というように、１つの調理器具で３通りの調理法ができる。以上の点から、アウトドアで簡単に調理できる調理器具を提供することができるようになった。
【実施例２】
【０００８】
図１の実施形態では、野外に設置して、災害時やアウトドア用としての調理器具であったが、他の実施形態では、温蔵庫・乾燥器他工芸釜として使用したものでも良い。
【図面の簡単な説明】
【０００９】
【図１】この発明の一実施形態を示す斜視図である。
【図２】蓋部を示す斜視図である。
【符号の説明】
【００１０】
１  本体（台部＋釜蓋部）
２  吸気部
３  めくらキャップ
４  排気部
５  煙突支持パイプ
６  釜台部
７  七輪
８  ３段網棚
９  ジャッキボルト足
１０  覗き穴
１１  本体合わし止め金具
１２  釜蓋部
１３  ユニオンカップリング
１４  手持ち金具
【図１】
2008202900.tif 000003
【図２】
2008202900.tif 000004
(57)【要約】【目的】固形手洗い石鹸を、クリーム状半練り状態で、絞り出し容器に入れ、携帯用手洗い石鹸の提供。に関する発明である。【構成】固形手洗い石鹸に、樹木を粉末、漂白、乾燥した物体。鶏卵の外部を覆う物質を粉末にした物体。植物油。清水。これらを加熱しつつ攪拌して、半練り状態で、絞り出し容器に入れ、携帯用手洗い石鹸として使用。【選択図】なし。【特許請求の範囲】
樹木を粉末にした材料、鶏卵の外部を覆う物質を、粉末にした材料、固形手洗い石鹸、植物油脂、清水、を加熱攪拌して、クリーム状態で、絞り出し容器に入れた。携帯用手洗い石鹸。
【発明の詳細な説明】
【技術分野】本発明は、石鹸、樹木の粉末、植物油、清水、鶏卵の外部を覆う物質の粉末、等を加熱攪拌し、半練りの状態で絞り出し、容器に収納した、携帯用手洗い石鹸。
【背景技術】現在、屋外、野外で携帯用として手を洗う石鹸は色々と出回っているが、固形石鹸を小型にして箱に入れたもの、水に強い紙に石鹸液水を浸透させたもの、液体石鹸を小型ポンプ容器に入れ、適量に押し出して使用するものなど、いろいろ出回っているが、何れの製品も携帯用手洗い石鹸としての機能が十分発揮されず、持ち回りに不便である。
【発明が解決しようとする課題】
【課題１】
携帯用として、野外の作業、行楽に出かけるとき、手の回りの小物入れとか、ポケットに入れて簡単に取り出し、手洗い使用が出来ないか。
【課題２】
小さい物で、スポンジとか、束子の役目をし、頑固な汚れに対応でき、なおかつ、スポンジか束子に代わる物質を、縮小して石鹸の中に組み入れることが出来ないか。
【課題３】
携帯用手洗い石鹸として、絞り出し式の半練り歯磨、または化粧品絞り出し容器のように、手洗い用の固形石鹸を、半練りのクリーム状で、絞り出し容器に入れて使用できないか。
【課題４】
固形石鹸を粉末にし、清水、植物油で加熱攪拌。クリーム状態で、絞り出し容器に入れるが、四季による温度の違いで、固形石鹸と清水、植物油が分離して、絞り出すとき、清水と植物油のみが先に出、固形石鹸が容器の底に溜まり、水分が少なくなる結果、固くて絞り出せなくなる。
【課題５】
固形石鹸を粉末にして、清水、植物油で加熱攪拌し、半練り状態で、絞り出し容器に挿入する。日時が経過すると、半練り状態が、水分の蒸発で硬化して、固く、絞り出すのが困難になり、夏季に温度が上昇すれば絞り出し可能だが、冬季に温度が低下すれば、固くて絞り出しが不可能になる。故に、現在のところ、手洗い用石鹸に、絞り出し容器は使用されていない。
【課題を解決するための手段】
上記課題を解決するため、樹木、特に桐材を粉砕、漂白乾燥した物体に、清水、固形石鹸の粉末、植物油等を混ぜることで、樹木の粉末に石鹸、油、清水が浸透し、スポンジの役目をして、水分の乾燥を防ぎ、絞り出し容器より、四季を通して容易に絞り出しを可能にした。
なお、鶏卵の外部を覆う物質を粉末にした物体を混ぜることで、束子の役目をする。
【手段１】
上記課題を解決するために、固形石鹸を粉末にして加熱攪拌し、半練りの石鹸を作り、この半練り石鹸を絞り出し容器に挿入、蓋をして、使用するとき蓋を開け、手の汚れ次第で、適量を絞り出して使用する。
【手段２】
スポンジに代わる物質。樹木、特に桐材を粉砕した粉を篩いで通し、漂白乾燥した物体である木粉を〔手段１〕の半練り石鹸の中に挿入、加熱攪拌して、木粉にスポンジの役目をさせ、絞り出し容器に挿入して解決する。
【手段３】
糸瓜、束子に代わる物質。鶏卵を覆う物質を粉砕、粉末にし、乾燥させた物体を〔手段１〕の半練り石鹸の中に挿入、加熱攪拌して、糸瓜、束子の役目を、鶏卵を覆う物質の粉末に代えて、絞り出し容器に挿入して解決する。
【手段４】
季節の寒暖により、手洗い石鹸の半練り状態に変化が生じ、固くなり、悪影響に導くのを助けるため、植物油を使用して、チューブの絞り出し口より滑らかに出すのに貢献する。
【発明の効果】
【効果１】
現代農業、漁業、土木工事、その他、屋外で仕事に従事する方。休日に行楽に出かけるときに絞り出し容器に入れた石鹸を、携帯用として、身の回りのポケット、または小物入れ等に入れて運搬使用できること。
【効果２】
絞り出し容器に入れた石鹸に混ぜてある鶏卵の外部を覆う物質の粉末と、樹木の桐材を粉砕漂白した粉末に、スポンジか糸瓜、束子の役目をさせることにより、従来の固形石鹸に比べて、頑固な汚れを落とす力を倍増することができる。
【効果３】
樹木の桐材を粉砕した木粉と、鶏卵の外部を覆う物質の粉末の働きで、手足の肌の皺の中の細かい筋の面まで、汚れを綺麗に落とす。
【発明を実施するための最良の形態】絞り出し容器の絞り出し口へ、石鹸、半練り液を滑らかに絞り出すには、半練りにする材料の配分が必要。
【形態１】
動植物油脂にソーダを加え、加熱攪拌し、食塩を加え、塩析して製造する洗剤。従来の固形石鹸を粉砕した物体。      ６０ｃｃ
【形態２】
樹木の桐材を粉砕、網目０．０８ｍの篩いで通した木粉を、漂白乾燥した物体。      １８０ｃｃ
【形態３】
鶏卵の外部を覆う物質を粉末にした物体を、網目０．０４ｍの篩いで通す。      １０ｃｃ
【形態４】
椰子油、または椿油等、さらりとした植物油。      １５ｃｃ
【形態５】
清水。      ２００ｃｃ
【形態６】
〔形態１〕より〔形態５〕までを、固形石鹸が十分に溶ける温度まで加熱。攪拌し、半練り状態にする。キャップ付、絞り出し容器。絞り出し口直径０．００８ｍに半練りの手洗い石鹸、洗剤を挿入して蓋をする。
【形態７】
上記〔形態１〕より〔形態５〕までの材料の配分は基本配分で、温度、湿度、乾燥等の事情により、各配分が異なることがある。
(57)【要約】【課題】圧延機オイルフィルムベアリングの金属スリーブ８のキーウェイを少なくとも部分的に充填する方法を提供する。【解決手段】同方法は、キーウェイ内にポケットを切削するステップを包含する。ポケットの形状に相補的な形状を有し、少なくとも１つの外側寸法がポケットの各内側寸法を上回る金属キー１６が設けられる。キー１６は熱収縮され、その少なくとも１つの外側寸法はポケット内へのキー１６の挿入に適応するのに十分な程度に縮減される。熱収縮されたキー１６は次いでポケット内に挿入され、且つ熱膨張によってキー１６とポケットの間に締まり嵌めが形成される。【選択図】図１
2008202788.tif 000002
【特許請求の範囲】
【請求項１】
圧延機オイルフィルムベアリングの金属スリーブのキーウェイを少なくとも部分的に充填する方法であって、
該キーウェイ内にポケットを切削するステップと、
前記ポケットの形状に相補的な形状を有し、少なくとも１つの外側寸法が該ポケットの各内側寸法を上回る金属キーを設けるステップと、
該キーを熱収縮させ、その少なくとも１つの外側寸法を該ポケット内への該キーの挿入に適応するのに十分な程度に縮減させるステップと、
該キーを該ポケット内に挿入するステップと、
斯様に挿入された該キーを熱膨張させ、それによって該キーと該ポケットの間に締まり嵌めを形成するステップと、
を含むことを特徴とする方法。
【請求項２】
請求項１に記載の方法であって、該キーの幅寸法が該ポケットの幅寸法を上回ることを特徴とする方法。
【請求項３】
請求項２に記載の方法であって、該キーの幅が該ポケットの幅寸法をスリーブ外径１００ｍｍ当たり約０．０００１７５ｍｍから０．０００４３２ｍｍの間上回ることを特徴とする方法。
【請求項４】
圧延機オイルフィルムベアリングのスリーブであって、
前記スリーブは、
円筒状の外面および傾斜した内面と、
前記傾斜した内面のキーウェイと、
前記キーウェイ内に切削されたポケットと、
前記ポケット内に着座するキーであって、前記キーの外面と前記ポケットの内面との間に締まり嵌めが熱的に誘起された状態のキーと、
を備えることを特徴とする圧延機オイルフィルムベアリングのスリーブ。
【発明の詳細な説明】
【技術分野】
【０００１】
本発明は、圧延機オイルフィルムベアリングのスリーブに関し、特にそのようなスリーブの傾斜した内面のキーウェイの充填方法に関する。
【背景技術】
【０００２】
特許文献１の記載により知られている方法では、キーウェイ側壁をアンダカットすることにより、圧入されたダブテールフィラーを受け同フィラーとの相互係合作用によってスリーブキーウェイを充填する。このアプローチは、主として、スリーブのベアリングロードゾーンの変形につれフィラーがキーウェイ内で動きやすいために奏功しなかった。また、そのためにキーウェイとフィラーの合わせ面の摩耗を招来し、ついにはフィラーが弛緩するに至る。
【０００３】
【特許文献１】米国特許第５１３６７６６号明細書
【発明の開示】
【発明が解決しようとする課題】
【０００４】
本発明は、従来技術の問題が回避される方法によりスリーブキーウェイを充填する改良手段を提供することを目的とする。
【課題を解決するための手段】
【０００５】
本発明によれば、ポケットがキーウェイ内に切削される。キーがポケットの形状に相補的な形状に形成され、その外側寸法は、ポケットの各内側寸法を上回る。キーは熱収縮され、その外側寸法はポケット内へのキーの挿入に適応するのに十分な程度に縮減される。ポケット内に挿入された後、キーは熱膨張を受け、それによってポケットの内面とその間に封じ込められたキーの外面との間に締まり嵌めが形成される。
【発明を実施するための最良の形態】
【０００６】
本発明により、および図２Ａおよび図２Ｂに示すように、スリーブ８は、円筒状の外面８ａおよび傾斜した内面８ｂを有する。ポケット１０は、傾斜した内面８ｂのスリーブキーウェイ１２内に切削される。同ポケットは、好ましくは長方形状とされ、幅Ｗpはキーウェイの幅を僅かに上回る。螺装めくら穴１４は、ポケットの底にタップ立てするのが好ましい。
【０００７】
図３に関し、キー１６は、ポケット１０の形状に相補的な形状に形成される。同キーの外側寸法は、ポケットの各内側寸法を上回る。この場合、キー幅Ｗkがポケット幅Ｗpを上回る。キーは貫通孔１８を有し、外向き端２０を内向き端２２より幾分厚めとする勾配付きの形状とされる。
【０００８】
キーは熱収縮され、特にその幅Ｗkを含む外側寸法が、図４に示すようにポケット１０内への挿入に適応するのに十分な程度に縮減される。そのキーは次いで熱膨張を受け、それによってポケットの内面とその間に封じ込められたキーの外面との間に締まり嵌めが形成される。図示の実施形態においては、締まり嵌めは、キーの側部とポケットの内側側壁との間にある。
【０００９】
キー幅Ｗkは、ポケットの幅Ｗpをスリーブ外径１００ｍｍ当たり約０．０００１７５ｍｍから０．０００４３２ｍｍの間上回ることが好ましい。
【００１０】
キーがポケットに挿入されたら、小ねじ２４が予防策として使用され、キーウェイ１２の上方に突出しているキーの余分の表面材料が切削除去され、その結果図１に示すアセンブリが得られる。
【００１１】
上述の締まり嵌めの、ポケット１０内におけるキー１６の移動に対する耐性は信頼性良好とされ、したがってキーの弛緩を出来し得る枢要なインタフェースにおける摩耗が回避される。
【００１２】
以上に鑑みて、本発明は特定のポケットおよびキー形状に限定されないこと、且つキーの少なくとも１つの外側寸法がポケットの各内側寸法を上回るように案配することによって十分な締まり嵌めが形成される限り、長方形以外の形状も使用可能とされることが理解されよう。
【図面の簡単な説明】
【００１３】
【図１】本発明によるスリーブの縦断面図である。
【図２Ａ】キーウェイ内に切削されたポケットを示す断面図および平面図である。
【図２Ｂ】キーウェイ内に切削されたポケットを示す断面図および平面図である。
【図３】キーの斜視図である。
【図４】ポケット内の所定位置にあり、図１に示す最終的形状に切削する前にキーウェイ上方に一部が突出したキーを示す断面図である。
【符号の説明】
【００１４】
８  スリーブ、８ａ  外面、８ｂ  内面、１０  ポケット、１２  キーウェイ、１４  めくら穴、１６  キー、１８  貫通孔、２０  外向き端、２２  内向き端、２４  小ねじ。
【図１】
2008202788.tif 000003
【図２Ａ】
2008202788.tif 000004
【図２Ｂ】
2008202788.tif 000005
【図３】
2008202788.tif 000006
【図４】
2008202788.tif 000007
(57)【要約】【課題】  複数の歯車を噛み合わせてなる歯車機構では、噛咬み合う歯車の歯数比でその減速比または増速比が決る方式が広く使用されている。  従って、当然の事であるが、歯数の少ない方の歯車の歯数を出来るだけ少なくした方が全ての点で有利となる。  しかし、従来の技術ではその限界は３、４個程度であった。【解決手段】  本発明では、１個から３個程度の歯数の、小歯車片を複数枚積層し、前記積層小歯車に対応して同数の歯車片を積層して構成した積層歯車と噛み合せる事により、全体としては、噛み合せに不具合を生じない程度の歯数の歯車として機能させ、減速比または増速比に関しては、個々の歯車片の歯数比として機能させた。【選択図】図１
2008202772.tif 000002
【特許請求の範囲】
【請求項１】
歯数が１個から３個程度の歯車片を均等に配置し積層した積層小歯車を備え、
前記積層小歯車に対応した同数の歯車を積層してなる積層歯車とを噛み合せて構成した事を特徴とする歯車機構。
【発明の詳細な説明】
【技術分野】
【０００１】  本発明は、回転する動力源から、その回転数を減速または増速して負荷の回転機器に適切な回転数の回転動力を伝達する機能を持つ歯車機構に関する。
【背景技術】
【０００２】  回転動力源としては電動機、内燃機関等があるが、その回転数は必ずしも負荷の回転機器の要求回転数とは一致しない。
従って、回転動力源と負荷の回転機器の中間に、歯車機構またはベルト機構等を配置して、回転数を整合させていた。
【発明の開示】
【発明が解決しようとする課題】
【０００３】  従来の歯車機構の回転数の増減技術には、噛み合う二つの歯車の歯数の比の選択によるものと、噛み合う二つの歯車の歯数の差の選択による二つがあった。
産業界では、これら二つの技術の内、技術的簡易さと取り扱いの容易さ及び価格的優位さから前者が圧倒的に多く採用されている。
この技術では、当然の事であるが、一方の歯車の歯数を少なくし、他方を多くすればするほど、その減速率または増速率を大きくできる。
しかし、噛み合せの容易さ、形状寸法の制約から上限と下限が存在していた。
下限に付いては、噛み合せの容易さから歯数３または４程度が限界であった。
【課題を解決するための手段】
【０００４】  前述の課題を解決するために、本発明では１個から３個程度の歯数の少ない小歯車片を複数、相互の歯間間隔が均等になる様に積層し、対応する同一枚数の歯車片を積層してなる積層歯車と噛み合わせた。
【発明の効果】
【０００５】  本発明による歯車機構では、機構の形状寸法を大きくすること無く、咬み合う二つの歯車の歯数比を容易に大きくする事が可能になり、減速比または増速比を大幅に増大する事が可能となり、価格の低減を可能とすると共に、歯車咬み合の段数を少なくする事により、効率の向上を可能とし、回転機器の性能向上に大きく貢献する事を可能とした。
【発明を実施するための最良の形態】
【０００６】  次に、本発明による歯車機構の実施例を図面を参照して説明する。
［図１］は、積層小歯車片として二枚歯の歯車片を用い、その二枚を積層した実施例を示す部分分解斜視図である。
図において、符号１は、回転動力源に接続され、回転動力を機構に受け入れる入力回転軸を示している。
符号２ａおよび２ｂは二枚歯の小歯車片を示している。
各小歯車片は互いに直交して積層され、回転軸１上に取り付けられる。
符号３ａおよび３ｂは前記積層小歯車と交互に咬合できる様に、その歯を１／２ピッチずらして積層された積層歯車片を示している。
この歯車片３ａおよび３ｂの歯数は、回転軸４の陰に隠れた部分を含めて３６枚である。
符号４は、積層歯車に取り付けられ、回転出力を外部回転機器に伝達する、出力回転軸を示している。
この歯車機構では、積層小歯車は実質四枚歯の歯車として動作するので、二枚歯の歯車として単独で動作させた場合の様に、噛み合いに不具合を生じる事はない。
しかも、積層小歯車片２ａおよび２ｂはそれぞれ、歯車片３ａおよび３ｂに対しては二枚歯の歯車として機能するので、その歯数比は２／３６である。
従って、この機構が減速装置として使用された場合の減速比は２／３６であり、増速装置として使用された場合の増速比は３６／２となる。
通常の遊星歯車方式の減速装置でこの程度の減速率または増速比を得るには、少なくとも二段程度の歯車機構が必要になり、その効率は各段の効率の積となるが、この実施例では段数は一段となり、効率の低下はかなり防止される事になる。【０００７】  ［図２］は、一枚歯の歯車片３枚を積層した実施例を示している。
符号１および４は［図１］と同様に、入力および出力回転軸を示している。
符号５ａ、５ｂおよび５ｃは一枚歯の小歯車片を示している。
小歯車片５ａ，５ｂおよび５ｃは互いに角度１２０度で交差する様に積層され、積層小歯車を構成する。
積層歯車には符号３ｃで示される歯車が追加され、それぞれの歯が１／３ピッチずれる様に積層される。
ここでも、積層小歯車片５ａ，５ｂおよび５ｃは一体となり三枚歯の歯車として機能するので、単体の一枚歯の歯車の様に噛み合せに不具合を生じる事は無い。
また、同様に、小歯車片５ａ，５ｂおよび５ｃは歯車片３ａ，３ｂおよび３ｃに対しては、一枚歯の歯車として機能し、その歯数比は１／３６である。
従って、この機構が減速装置として使用される時には、その減速比は１／３６であり、増速装置として使用される時には、その増速比は３６倍である。【０００８】  この実施例では積層小歯車が一枚歯と二枚歯の歯車の場合に説明したが、三枚歯以上でも機能させる事は可能である。
また、この実施例では、平歯車を使用した場合に付いて説明したが、スパイラル歯車、丸ピン歯車や歯付ベルト歯車等でも同様に機能させる事が可能であり、内歯歯車を用いる事も可能である。
【産業上の利用価値】
【０００９】  本発明による歯車機構では、噛み合う歯車の歯数比が大きく、装置の形状寸法が大きくなる事を防止し、価格の低減を可能とすると共に、歯車機構の段数低減を可能とし、効率低下を防止する等の効果があり、機能の高い回転機器の実現を可能とし、産業界での利用価値は極めて大きいと考えられる。
【図面の簡単な説明】
【００１０】
【図１】  本発明による、二枚歯の小歯車片を用いた歯車機構の一実施例を示す部分分解斜視図である。
【図２】  本発明による、一枚歯の小歯車片を用いた歯車機構の一実施例を示す部分分解斜視図である。
【符号の説明】
【００１１】１、・・・・・・・・・・・・・・・・・入力回転軸
２ａ，２ｂ，５ａ，５ｂ，５ｃ、・・・・積層小歯車片
３ａ，３ｂ，３ｃ，・・・・・・・・・・積層歯車片
４、・・・・・・・・・・・・・・・・・出力回転軸
【図１】
2008202772.tif 000003
【図２】
2008202772.tif 000004
(57)【要約】      （修正有）【課題】効率的で、かつ確実に情報交換可能な紙媒体情報転送システムを提供する。【解決手段】紙媒体１裏面の情報記入範囲に文字読取装置２、さらに、任意の位置に発信装置３を設ける。また、受信側のコンピュータ４には、受信装置５と文字認識装置６を設ける。【選択図】図１
2008021279.tif 000002
【特許請求の範囲】
【請求項１】
紙媒体裏面に文字読取装置、さらに、任意の位置に発信装置を設ける。また、受信側のコンピュータには、受信装置と文字認識装置を設ける。
以上のごとく構成された紙媒体情報転送システム。
【発明の詳細な説明】
【発明の詳細な説明】
【技術分野】
【０００１】  本発明は、紙媒体裏面に文字読取装置と発信装置を設け、受信側のコンピュータに受信装置と文字認識装置を設けた、紙媒体情報転送システムに関するものである。
【背景技術】
【０００２】  従来、紙媒体に記載された文字や数字等の情報をコンピュータに入力するには、端末機のキーボードやスキャナーを利用していた。【０００３】  また、情報をバーコードに変換して、それを読み取る事により、情報をコンピュータに入力していた。【０００４】  情報を複数必要なときは、紙媒体を複写機でコピーするか、カーボン紙を使用して作成していた。
【発明の開示】
【発明が解決しようとする課題】
【０００５】  これは、紙媒体で情報交換を行うには、情報提供者が手書きやワープロ、又はプリンターで情報を作成し、情報収集者は、その情報を端末機のキーボードやスキャナーを利用して、コンピュータの記憶装置に情報入力していた。【０００６】  また、端末機のキーボードで情報入力を行うと、入力誤りの確認が必要であり、非効率であった。【０００７】  スキャナーで情報入力を行うと、文字や数字を図として認識してしまい、情報の加工をするには、端末機のキーボードで再入力することも必要であった。【０００８】  バーコードは、交換できる情報量が少なく、紙媒体に記載されている情報全てを直接コンピュータの記憶装置に入力することは、困難であった。【０００９】  情報を複数必要なときは、複写機でコピーしていたが、紙媒体を持ち運ぶことが必要であり、時間がかかり、その際に起こりうる紛失や破損等の事故があった。また、カーボン紙を使用した際は、汚してしまうことがあった。【００１０】  本発明は、以上の課題を解決するためになされたものである。
【課題を解決するための手段】
【００１１】  紙媒体（１）裏面の情報記入範囲に文字読取装置（２）、さらに、任意の位置に発信装置（３）を設ける。また、受信側のコンピュータ（４）には、受信装置（５）と文字認識装置（６）を設ける。
本発明は、以上のような構成よりなる紙媒体情報転送システムである。
【発明の効果】
【００１２】  発明は以上のような構造で、このシステムを利用すると、従来のように、端末機でキーボード入力をした場合の誤り確認や、スキャナーで情報入力した場合の文字や数字を図として認識してしまうための再入力、さらに、バーコードの情報量等の問題が解決される。【００１３】  また、情報を複数必要な場合でも、コンピュータのプリンターから印刷することができ、複写機でコピーする際の紙媒体を持ち運ぶことによる必要な時間と紛失や破損等の事故、また、カーボン紙を使用した際の汚れがなくなる。【００１４】  以上のことから、本発明により、効率がよくなり、かつ確実に情報交換ができる。
【発明を実施するための最良の形態】
【００１５】  以下、発明の最良の形態を説明する。
（ア）  紙媒体（１）裏面の情報記入範囲に文字読取装置（２）を設ける。
（イ）  紙媒体（１）裏面の任意の位置に発信装置（３）を設ける。
（ウ）  受信側のコンピュータ（４）には、受信装置（５）を設ける。
（エ）  受信側のコンピュータ（４）には、文字認識装置（６）を設ける。【００１６】  本発明は、以上のような構造で、これを使用するときは、情報提供者が紙媒体（１）表面の情報記入欄に、手書きやワープロ、又はプリンターで情報を記入する。その情報を文字読取装置（２）が読み取り電気信号に変換され、発信装置（３）に送信する。発信装置（３）は、電波を使用して、受信装置（５）に送信する。受信した情報は、受信側のコンピュータ（４）に設けられた文字認識装置（６）によって、文字や数字等に変換され、情報として受信側のコンピュータ（４）の記憶装置（１０）に取りこまれる。【００１７】  このシステムを利用すると、最初に、紙媒体（１）に手書きやワープロ、又はプリンターで記入された情報が、直接、受信側のコンピュータ（４）の記憶装置（１０）に取りこまれるため、従来のような入力誤り確認や、文字や数字を図として認識してしまうための再入力、さらに、バーコードの情報量等の問題が解決される。【００１８】  また、情報を複数必要な場合でも、コンピュータのプリンターから印刷することができ、複写機でコピーする際の紙媒体を持ち運ぶことによる必要な時間と紛失や破損等の事故、カーボン紙を使用した際の汚れがなくなり、効率的かつ確実に情報交換ができる。
【実施例】
【００１９】  図２に示したように、文字読取装置（２）について、縦方向に密な間隔で導線（１１）を張った縦シート（７）と横方向に密な間隔で導線（１１）を張った横シート（８）を紙媒体（１）の裏面に重ね、これを使用するときは、鉛筆やボールペン等で紙媒体（１）の表面に情報を記入すると、その圧力で各シートの導線（１１）が接触し、電気信号が流れる。この電気信号を発信装置（３）に送信する。【００２０】  また、図３に示したように、紙媒体（１）裏面に、圧力に対して電気信号を放つ半導体（９）を印刷して使用しても差し支えない。【００２１】  さらに、半導体（９）については、鉛筆やボールペン等のインクで反応するものや、光りに反応するものを印刷して使用しても差し支えない。
【図面の簡単な説明】
【００２２】
【図１】  本発明の実施形態を示す紙媒体情報転送システムの説明するブロック図
【図２】  本発明に係る文字読取装置の実施例に基づく側面図
【図３】  本発明に係る文字読取装置の実施例に基づく側面図
【符号の説明】
【００２３】  １  紙媒体
２  文字読取装置
３  発信装置
４  受信側のコンピュータ
５  受信装置
６  文字認識装置
７  縦シート
８  横シート
９  半導体
１０  記憶装置
１１  導線
【図１】
2008021279.tif 000003
【図２】
2008021279.tif 000004
【図３】
2008021279.tif 000005
(57)【要約】【課題】電子商取引での古書販売は、販売者にとり、購買者との間の電子メールの連絡や商品の梱包、発送には時間と労力を必要とするため、容易に参加しにくいところがある。さらに、配送中の商品の紛失においては、品物の代金を補償されない配送サービスを使用しなければならないケースも多い。【解決手段】本発明システムでは、販売者の商品を所有権を移すことなく在庫して、電子市場に出品する。購買者が現れた場合、あらかじめ用意した文面にて、購買者にメールを送信し、必要な手続きを代行する。のちに、販売者に代わり、商品を梱包するなど輸送可能な状態にして、輸送業者に引き渡す。万が一、配送中に商品が失われた場合には、本システムがそれを補償する。【特許請求の範囲】
【請求項１】
電子商取引上の古書市場にて、本の販売を希望する人に成り代わり、商品を在庫して、オンライン上で出品、購買者との連絡、商品の発送までを代行するシステム。
【請求項２】
請求項１のシステムにおいて発送される商品について、運送中の紛失、破損事故などによる損害で、運送会社の補償の対象にならない損害を補償するシステム。
【発明の詳細な説明】
【技術分野】
【０００１】本発明は、電子商取引においての古書販売の商品委託販売システムに関する。
【背景技術】
【０００２】電子商取引においての古書の販売が盛んになってきているものの、一方で出品、連絡、梱包、発送などの手間がかかり、容易に参加しにくいところがある。
【発明の開示】
【発明が解決しようとする課題】
【０００３】オークション、あるいは固定価格での電子ショッピングモール方式の電子商取引において古書を販売するには、オンライン上での出品、購買者との連絡、商品の梱包と発送などの行程を販売者自身でしなければならない。【０００４】電子商取引において古書販売においては、配送中の紛失などは補償されない配送方法を選択するを得ない状況がほとんどで、購買者の手元に届くまでの事故は販売者がリスクを担保しなければならない。
【課題を解決するための手段】
【０００５】上記課題を解決するために、本発明のシステムは販売者の商品を、所有権を移すことなく在庫しておく。【０００６】  購買者が現れた際には、あらかじめ用意した文面にて、購買者にメールを送信し、必要な手続きややりとりを代行する。【０００７】のちに、販売者に代わり、商品を梱包するなど輸送可能な状態にして、輸送業者に引き渡す。【０００８】配送中の紛失事故などの際には、配送システムの補償で足りない部分を本システム内で引き当て金を準備して補償する。
【発明の効果】
【０００９】本発明システムにより、販売者は、時間的、労働的負担なしに電子商取引にて古書を販売することができる。また、保管場所の確保に配慮する必要もなくなり、さらに輸送中の事故による損失も回避することができる。
【発明を実施するための最良の形態】                                            ２
【実施例】
【００１０】本発明システムは、適当な倉庫を用意して、インターネットに接続したパソコンと、プリンター、梱包材料を用意し、あらかじめ販売者と合意の上用意した電子メールの文面を送信できるようにしておく。
販売者の商品を複数まとめて送ってもらい、電子市場に商品を掲載し、保管する。【００１１】販売者のインターネット市場に出品している商品が売れると、市場管理者より本システムあてにメールが送信される。【００１２】本システムでは、メールが送信されてきたら、そこに含まれる情報を元に、購買者に受注確認のメールを発信する。市場のシステムの方式により、そこに住所、氏名などが含まれていない場合には、購買者に質問状に記入の上、返信してもらう。【００１３】メールの情報を元に、販売者の商品を梱包して、配送業者にひきわたす。配送の送り状番号を記入したメールを購買者と販売者に送り、発送が完了した旨、通知する。【００１４】万が一、配送中に紛失や破損などの事故があった場合には、本システムが、紛失した商品の代金を配送に補償する。【００１５】あらかじめ決定しておいた期限の後、売れた本の金額から手数料を差し引いた金額と、売れ残った本を販売者に返還する。
(57)【要約】【課題】ショッピングモールへの出店者の金銭的、時間的負担を軽減するために簡単に作れるホームページソフトを提供する。【解決手段】出店者がショッピングモールへ出店するために、ホームページソフトを使い自分でホームページを作り、自分で管理することを特徴とする。【選択図】図１
2008021276.tif 000002
【特許請求の範囲】
【請求項１】
ショッピングモールへの出店者が手書きのホームページソフトを使いホームページをつくることを特徴としてショッピングモールを構築するビジネスモデル。
【発明の詳細な説明】
【技術分野】
【０００１】本発明は、ショッピングモールに出店するにあたりホームページ制作、更新が簡単にできるホームページソフトを提供することに関する。
【背景技術】
【０００２】ショッピングモールに出店を考えるとき、ホームページが必要となる、しかし、ホームページを自分で作れる人はよいが、作れない人はホームページ制作会社に制作依頼しなくてはならない、その費用は莫大になることもある。
【発明の開示】
【発明が解決しようとする課題】
【０００３】ショッピングモールに出店を考えるとき、出店費、ホームページ制作費などの、出店者の負担を少なくするために、出店者がホームページを作ることができるホームページソフトを提供してショッピングモールを構築することを課題とする。
【課題を解決するための手段】
【０００４】ショッピングモールに出店するために、出店者がホームページを作るようにする、そのために、手書きのホームページソフトを提供して、出店者がホームページの管理をすることで出店料の安いショッピングモールを構築できることを特徴とする
【発明の効果】
【０００５】ホームページ制作、更新に費用がかかり、あきらめていた企業、個人が手書きのホームページソフトの提供を受けることでショッピングモールに出店できる。【０００６】販売を目的としない個人、企業は手書きのホームページソフトの提供を受けてウエブサイトを作りポータルサイトに登録することが出来る。
【発明を実施するための最良の形態】
【実施例】
【０００７】本発明はショッピングモールに出店するための費用を考えて出店をあきらめている出店者に、手書きホームページソフトを提供することで、出店者がホームページを制作管理することを基本とする。【０００８】通常ショッピングモールに出店するにはホームページ制作会社に依頼することが多い、しかし、本発明では手書きのホームページソフトを使い出店者が作る。【０００９】そして、出店者は手書きで、ホームページを簡単に作れるため毎日、内容を変えることが出来る。【００１０】チラシをホームページとして使い、インターネットでも見られるチラシとする。
【図面の簡単な説明】
【００１１】
【図１】ショッピングモール運営を示す説明図である。
【図１】
2008021276.tif 000003
(57)【要約】【課題】  今後ますます普及する情報化社会において、インターネットは不可欠な物となっている。このインターネットを地域の環境の貢献と維持するために活用しない手はない。しかし、まだまだインターネットの使用できるインフラが整っていないのが現実である。これらのインフラの整備において各自動販売機への無線ＬＡＮおよび送受信できる無線装置を配置することは、社会的に有益なことである。よって、自動販売機を利用して安全な生活環境を築くことは重要なことなのである。【解決手段】  各自動販売機に、カメラ及び音声録音装置を装着し、非常時や緊急時、災害時に各自動販売機の周辺の状況を撮影及び録音し、その情報を必要とする場所に送信する機能を有する。そのためには、無線ＬＡＮおよび送受信できる無線装置を有することを特徴とする自動販売機である。また、１１０番、１１９番に直接電話連絡ができる機能を有する自動販売機なので地域住民のためになる。【選択図】なし【特許請求の範囲】
【請求項１】
非常時や緊急時、災害時に各自動販売機の周辺の状況を撮影及び録音し、その情報を必要とする場所に送信する機能を有する自動販売機
【請求項２】
１１０番、１１９番に直接電話連絡ができる機能を有する自動販売機
【請求項３】
請求項１において、カメラ及び音声録音装置を装着した自動販売機
【請求項４】
請求項１において、無線ＬＡＮおよび携帯電話用の基地局を有する自動販売機
【請求項５】
請求項１において、ＩＳＤＮ及び一般電話のモジュラージャックを有する自動販売機
【請求項６】
請求項１，２，３において、各自動販売機に表示部を備え、各自動販売機は通信状況を表示部に表示することを特徴とする自動販売機である。
【発明の詳細な説明】
【発明の詳細な説明】
【技術分野】
【０００１】  本発明は、いつでも何処でも情報を受発信できる通信技術分野である。
【背景技術】
【０００２】  通信機能を持った自動販売機は、在庫、売れ切れ、補充、売り上げの情報を送っていた。【０００３】  また、特定商品や人気商品の販売状況を通信で送っていた。
【発明が解決しようとする課題】
【０００４】  本発明は、商品を単に販売するだけの自動販売機ではなく、自動販売機そのものが情報発信基地局としての機能を持つと同時に生活空間の安全管理機能を備えた自動販売機である。
【課題を解決するための手段】
【０００５】  かかる目的を達すべく、請求項１は、生活空間の安全管理機能を有することを特徴とする。請求項２は緊急連絡ができる機能を有する。請求項３、４、５の発明は、情報発信の基地局としての機能を有する。
【発明を実施するための最良の形態】
【０００６】  本発明の実地の形態は、自動販売機に送受信の機能を備えた通信機器とカメラ及び音声録音装置を装着した自動販売機である。【０００７】また、自動販売機に送受信の機能を備えた通信機器を装着した自動販売機である。【０００８】  １１０番、１１９番に直接電話連絡ができる機能を有する自動販売機である。
【実施例】
【０００９】  自動販売機にプラネックスコミュニケーションズ株式会社製の無線ＬＡＮの通信機器「ＢＬＷ−ＨＰＭＭ−ＰＫ」を取り付けて、実験を行なった。【００１０】  使用したパソコンは、東芝製のＤＹＮＡＢＯＯＫ３３８０Ｖを使用した。【００１１】  自動販売機からの距離は約１５ｍで行なったが、問題なく映像や音声を送信することが出来、インターネット通信も充分できた。【００１２】  この結果から、本発明の自動販売機に装着したカメラ及び音声録音装置のデータは、無線ＬＡＮの機器を使って、自然環境の中で問題なくインターネット通信が出来たので、公園や山中、海の砂浜においても通信が出来ることが認められる。
【発明の効果】
【００１３】  本発明の方法により、自動販売機のあるところはカメラ及び音声録音装置を装着しているので、非常時や緊急時、災害時に各自動販売機の周辺の状況を撮影及び録音し、その情報を必要とする場所に送信する機能を有しているので地域の環境に貢献できる。
また、１１０番、１１９番に直接電話連絡ができる機能を有する自動販売機なので地域住民のためになる。
各自動販売機に通信機能がついているので、いままで情報通信が出来なかったエリアにおいて無線ＬＡＮや送受信の通信ができるので、今後  通信による情報のやり取りはますます普及し社会において大きく役立であろう。
(57)【要約】      （修正有）【課題】  インターネット上で直接、購入希望者（以下買手）と業者又は売主（以下売手）を結びつけ商品を取引するすることが出来るコンピューターソフト及びプログラミング又は、携帯電話サービス、又はインターネットサービスの提供。【解決手段】  購入希望者は購入したい商品の条件をインターネット上で登録する。また売手は自身の販売する商品の条件を登録する。両者の情報を管理する仲介者が条件の合う者同士を引き合わせるシステム。以上を基本とし双方のメリットを確保しデメリットを無くすサービスを付帯させる。【選択図】 図１
2008021281.tif 000002
【特許請求の範囲】
【請求項１】
買手は自身の氏名、住所、電話、ｅメール等の情報、購入したい商品の条件をインターネット上で登録し、インターネット上で商品を探し、又、取引するシステム及びプログラミング。
【請求項２】
売手は自身の販売する商品の条件を登録し、買手、売手、両者の情報を管理する仲介者又は仲介システム及び仲介プログラミング。が条件の合う者同士を引き合わせるインターネット上で商品を探し、又、取引するシステム及びプログラミング。
【請求項３】
双方の条件が合致し成約するまでは仲介者を通してのみ連絡を取ることを可能とするインターネット上で商品を探し、又、取引するシステム及びプログラミング。
【請求項４】
売手側の登録には審査を要し売手の所在の開示されているインターネット上で商品を探し、又、取引するシステム及びプログラミング。
【請求項５】
成約した場合買手の登録情報は削除され、その後売手側、或いは、第三者からの宣伝等の禁止するインターネット上で商品を探し、又、取引するシステム及びプログラミング。
【請求項６】
仲介者は売手又は買手に、売手は買手に、このサービスを利用した場合の付加サービスを提案することが出来るインターネット上で商品を探し、又、取引するシステム及びプログラミング。
【発明の詳細な説明】
【技術分野】
【００１】  本発明はインターネット上で直接、購入希望者（以下買手）と業者又は売主（以下売手）を結びつけ商品を取引するすることが出来るコンピューターソフト及びプログラミング又は、携帯電話サービス、又はインターネットサービスの提供に関する。
【背景技術】
【００２】  商品の情報を売手が登録し、買手が検索するソフト及びプログラミング又は、携帯電話サービス、又はインターネットサービスがある。従来の商品の販売に関するインターネット等でのサービスは売手が商品の情報を登録し、買手がその情報を検索し積極的に詳細を知りたい時にその情報を登録した売手にｅメール等で連絡を取っていた。
【発明の開示】
【発明が解決しようとする課題】
【００３】  従来の方法の場合、売手側からその情報を見た人全てにアプローチすることが出来ない。又インターネット以外の広告に関しても売手は一方的に情報を公開するだけで広告料金に見合う効  果を得られない場合もある。一方買手は従来のオークションのシステムでは時間内で最高の価格をつけた場合か売手が決めた価格以上でしか購入できなかった。又、終了時間間際まで監視していたとしても確実に購入できるかは解らない。
【課題を解決するための手段】
【００４】  まず買手は自身の氏名、住所、電話、ｅメール等の情報と購入したい商品の条件をインターネット上で登録する。また売手は自身の販売する商品の条件を登録する。両者の情報を管理する仲介者が条件の合う者同士を引き合わせるシステム。以上を基本とし双方のメリットを確保しデメリットを無くすサービスを付帯させる。
このシステムにより売手は自身の扱う商品がどの程度の需要がありどの程度の価格で販売できるのか知ることが出来、買手が多数存在し価格が販売可能な範囲であれば一時に大量に販売することが出来る。広告も無差別に出す必要は無く、自身の商品を登録するだけでその条件で購入してくれる買手の情報を得ることが出来る。一方、買手はこのシステムを利用することにより自分が購入したい商品を購入したい条件により近い条件で確実に購入できる。又、双方の条件が合致し成約するまでは仲介者を通してのみ連絡を取ることを可能とする。売手側の登録には審査を要する。売手の所在の開示、成約した場合買手の登録情報は削除され、その後売手側、或いは、第三者からの宣伝等の禁止等、の双方、得に買手にデメリットになり得る事を防ぐサービスを付帯させる。又仲介者は売手又は買手に、売手は買手に、このサービスを利用した場合の付加サービスを提案することが出来る。
【発明の効果】
【００５】    上述の様に、本発明を使用する事により、売手は自身の扱う商品がどの程度の需要がありどの程度の価格で販売できるのか知ることが出来、買手が多数存在し価格が販売可能な範囲であれば一時に大量に販売することが出来る。広告も無差別に出す必要は無く、自身の商品を登録するだけでその条件で購入してくれる買手の情報を得ることが出来る。一方、買手は従来のオークションのシステムでは時間内で最高の価格をつけた場合か売手が決めた価格以上でしか購入できなかった。又、終了時間間際まで監視していたとしても確実に購入できるかは解らない。しかし、このシステムを利用することにより消費者は自分が購入したい商品を購入したい条件により近い条件で確実に購入できる。又、双方の条件が合致し成約するまでは仲介者を通してのみ連絡を取ることを可能とする。売手側の登録には審査を要する。成約した場合買手の登録情報は削除され、その後売手側、或いは、第三者からの宣伝等の禁止等、の双方、得に買手にデメリットになり得る事を防ぐサービスを付帯させる。以て商品の流動性、消費者サービスの向上に寄与する。
【発明を実施するための最良の形態】
【００６】  以下、本発明の実施の形態を図１に基ついて説明する。
［図面の簡単な説明］
図１は、本発明のコンピューターソフト、及びプログラミング、又は、携帯電話サービス、又は、インターネットサービスに関する概念図である。
【発明を実施するための最良の形態】
【００６】  以下、本発明の実施の形態を図１に基ついて説明する。
【図面の簡単な説明】
【図１】は、本発明のコンピューターソフト、及びプログラミング、又は、携帯電話サービス、又は、インターネットサービスに関する概念図である。
【図１】
2008021281.tif 000003